(57)【特許請求の範囲】
【請求項１】
帯状平板材で構成される第一の片部材の一方端と前記第一の片部材より長い帯状平板材で構成される第二の片部材の一方端とを固着してなるＬ字状支持部材の前記第二の片部材の山側の反自由端側に第一の弾性体が設けられ、自由端側に第二の弾性体が設けられてなる弦楽器の肩当てであって、第一の弾性体の厚みは第二の弾性体の厚みより厚いことを特徴とする弦楽器の肩当て。
【請求項２】
前記第一の弾性体は前記第二の片部材の反自由端側に突出した状態で設けられているとともに前記第二の片部材の幅方向に突出した状態で設けられていて、前記第二の弾性体は前記第二の片部材の自由端側に突出した状態で設けられているとともに前記第二の片部材の幅方向に突出した状態で設けられていることを特徴とする請求項１に記載の弦楽器の肩当て。
【発明の詳細な説明】
【技術分野】
【０００１】
弦楽器を首の直ぐ左隣にあたる肩上部と臼歯近くのあご骨の角部との間に挟んだ体勢で演奏するときにあご当てとともに使用される肩当てに関する。
【背景技術】
【０００２】
ＳＴＲＡＤＩＶＡＲＩやＧＵＡＲＮＥＲＩが製作した弦楽器を含む我々が普段目にする弦楽器の方を本明細書では普通楽器と呼ぶことにする。
首の右側で弦楽器を構える体勢で演奏するために、弦の並びが、バイオリンなら、Ｓｏｌ、Ｒｅ、Ｌａ、Ｍｉの順を真逆にしたＭｉ、Ｌａ、Ｒｅ、Ｓｏｌの順という具合に逆順に弦が張ってあり、それに伴って弦を載せているところの駒の傾斜も真逆であり、さらに、ペグ穴の位置他、内部構造もすべて、普通楽器の側板の傍ら（図２の上段の図のＭｉの弦側）に駒の一番大きい面積の面と垂直に鏡を立てたときの鏡像となっている弦楽器のことを、本明細書では鏡像楽器と呼ぶことにする。
【０００３】
鏡像楽器を弾く人は極少数である。
【０００４】
利益を追求することを目的とする企業は当然、普通楽器に係る物品の方を設計・製造することになる。
【０００５】
それ故、今までずっと鏡像楽器を弾く人のための環境は、普通楽器を弾く人の環境に比べて恵まれていなかった。
特注しては、手元には鏡像楽器に係る物品が無い状態が特注品完成時までずっと続いて困ったことになるのが常である。
【０００６】
そこで、本発明は、今までにはない新種の型の弦楽器の肩当てを提供することによって、鏡像楽器を弾く人側の環境をより恵まれたものにしようとすることを目的とする。
【０００７】
本明細書０００４欄を鑑みれば、もし、一の物品で首の左側で弦楽器を構える体勢でも、首の右側で弦楽器を構える体勢でも、兼用で使用可能な弦楽器の肩当てというものがあれば、それで同時に極少数者側向けにも対応したものにもなっているので、企業にとっても従来どおり普通楽器の使用者を販売対象にしつつ、今までの販売対象ではなかった方の人たちからも収益が見込めるようになるのでよいことである。
【０００８】
何かにつけ不便な環境側にいる鏡像楽器を弾く人にとって、特注不要の普通楽器・鏡像楽器兼用の弦楽器の肩当てというものは大変ありがたい存在である。
【０００９】
従来品に、一の物品で首の左側で弦楽器を構える体勢でも、首の右側で弦楽器を構える体勢でも兼用で使用可能な弦楽器の肩当てがあるかどうか探してみると、Ｓｈｏｕｌｄｅｒ  Ｐｅｔ（日本語名：ショルダーペット）という名称のバイオリンまたはビオラの肩当てというものがある。
【先行技術文献】
【非特許文献】
【００１０】
【非特許文献１】ｈｔｔｐ：／／ｗｗｗ．ｓｈｏｕｌｄｅｒｐｅｔ．ｃｏｍ／ｉｎｄｅｘ＿ｊａｐａｎｅｓｅ．ｈｔｍで公にされているインターネット上のＳＨＯＵＬＤＥＲ  ＰＥＴ（ショルダーペット）という名称のバイオリン及びビオラの肩当ての、開発者によると思われる複数ある販売用広告画面の内の一画面。
【非特許文献２】ｈｔｔｐ：／／ｗｗｗ．ｓｈｏｕｌｄｅｒｐｅｔ．ｃｏｍ／ｊａｐａｎｅｓｅ７．ｈｔｍで公にされているインターネット上のＳＨＯＵＬＤＥＲ  ＰＥＴ（ショルダーペット）という名称のバイオリン及びビオラの肩当ての、開発者によると思われる複数ある販売用広告画面の内の一画面。
【００１１】
特許文献１には、「ショルダーペットは、羊皮またはスエード、キノア粒子、パラシュート材と木綿糸で作られています。・・・」と、物品の構成に関する記載がある。
【００１２】
特許文献２には、「・・・肩に乗せます。・・・ショルダーペットの上に楽器を置きます。袋の中のキノア粒子を揉みながら楽器が肩にしっくり収まるポジションを決めます。・・・独特の安定感がある・・・」と、物品の使用方法及び効果に関する記載がある。
【００１３】
ショルダーペットという名称のバイオリンまたはビオラの肩当ては、言わば、お手玉やそば殻枕の仲間である。定まった形をもたず、押圧によって容易に変形する性質を利用して、人間の肩の凸曲面とぴったりかみ合う曲面（肩当てにおける人体側の表面）及び弦楽器の裏板の凸曲面とぴったりかみ合う曲面（肩当てにおける弦楽器側の表面）の双方を、若干の所作の後に得ようとするものである。
弦楽器の肩当てとして販売されているものの中には、肩当てはどういうものでなければならないかということを全くわかっていないと考えざるをえないものがいくつかあるが、ショルダーペットは演奏中は申し分のない肩当てである。
【発明の概要】
【発明が解決しようとする課題】
【００１４】
楽音は、ペグから始まってエンドピンで終わる間に横たわる空間に見出される、弦、テールピース、そして、テールピースとエンドピンを繋いでいる伸びない紐という一連の部品の連携において決定されるので、正しい楽音から僅かでもずれる要因を完全に排除しようと思うならば、指先と弓の馬の毛束を除くいかなるものもこれらのうちのどれにも触れないようにしないといけない。
従来品の中には、弦楽器に係る部品を弦楽器に固定するのにエンドピンを引っ掛け用に用いているものがある。しかしながら、前記伸びない紐に一切接触することなしにエンドピンに引っ掛けることは不可能なのである。
エンドピンに掛かっている前記伸びない紐に何かを接触させない方がいいのは、テールピースの上に、テールピースをあご当てがわりにしてあごを載せない方がいいのと同じである。
美観という観点からも、エンドピンを引っ掛け用に用いることは止めるべきである。
エンドピンは、テールピースが備える２つの孔を利用して前記伸びない紐でテールピースを繋ぎ留める役割の部品である。
エンドピンに前記紐が引っ掛かっているだけの有様は、楽器のしくみにおいてその部分での果たすべき機能そのものを映し出していて、装飾が施されたエンドピンでなくとも美観が感ぜられる。
時計でも何でも組み立てられたものにおいて機能を目の当たりにできることに関する美観というものは大切である。
この「エンドピン＋伸びない紐」の周囲はすっきりしていると、エンドピンに前記伸びない紐が引っ掛かっているだけの有様が明確に目視で識別されるのでよい。
この「エンドピン＋伸びない紐」の周囲の見た目を害するものは、エンドピンに引っ掛ける・引っ掛けないに関係なく美観を大変そ損なうので肩当てに限らず、あご当てでもいけない。
【００１５】
ショルダーペットのようなお手玉・そば殻枕型の弦楽器の肩当てを使用する場合、肩から外してしまうたびに、正しい表面形状が人体側、及び弦楽器側の両側において維持されずに消えてしまうので、肩に載せる度に、正しい両側の表面形状が得られるための行為（本明細書００１２欄参照）を行わなければならない。
【００１６】
もし、最初から（つまり、肩とも弦楽器とも非接触であっても）既に肩とも弦楽器ともぴったりかみ合う形状をしている普通楽器・鏡像楽器兼用の弦楽器の肩当てというものがお手玉・そば殻枕型ではないもので有るならば、本明細書００１２欄の「袋の中のキノア粒子を揉みながら楽器が肩にしっくり収まるポジションを決めます。」という行為は、演奏に入る直前の従来の行為（お辞儀、調弦の確認、及び馬の毛束の張り具合の調整）と比べると、１つ余分の行為となっている。
【００１７】
舞台の袖から歩いてきて、中央に到着して（中央の位置に独奏者が立ったときをゼロ秒として）９秒〜１０秒後にはもう楽曲の最初の音が鳴っているのが、観客からしてみると快適な流れでコンサートが進行していると感じられる。
ショルダーペットを使用すると、従来より１個余計な作業が加わる分、常にこの快適と感じる所要時間内でではできない恐れが出てくる。
お辞儀、調弦の確認、及び馬の毛束の張り具合の調整を物凄くてきぱきやっても９秒近くかかり、９秒などすぐ経過してしまう。
【００１８】
以上のことを踏まえて、本発明は、一の物品で首の左側で弦楽器を構える体勢でも、首の右側で弦楽器を構える体勢でも兼用で使用可能な弦楽器の肩当てであって、今までにない新種の型の弦楽器の肩当てを提供することで鏡像楽器を弾く極少数者側の環境をより恵まれたものにするとともに、企業にとっても、今まで販売対象ではなかった人々からの収益をも見込めるようにすることを課題とする。
【課題を解決するための手段】
【００１９】
本発明は上記課題を解決するためになされたもので、請求項１に記載の普通楽器・鏡像楽器兼用の弦楽器の肩当ては、帯状平板材で構成される第一の片部材の一方端と前記第一の片部材より長い帯状平板材で構成される第二の片部材の一方端とを固着してなるＬ字状支持部材の前記第二の片部材の山側の反自由端側に第一の弾性体が設けられ、自由端側に第二の弾性体が設けられてなる弦楽器の肩当てであって、第一の弾性体の厚みは第二の弾性体の厚みより厚いことを特徴とする弦楽器の肩当てである。
請求項２に記載の普通楽器・鏡像楽器兼用の弦楽器の肩当ては、前記第一の弾性体は前記第二の片部材の反自由端側に突出した状態で設けられているとともに前記第二の片部材の幅方向に突出した状態で設けられていて、前記第二の弾性体は前記第二の片部材の自由端側に突出した状態で設けられているとともに前記第二の片部材の幅方向に突出した状態で設けられていることを特徴とする請求項１に記載の弦楽器の肩当てである。
【発明の効果】
【００２０】
本発明により、一の物品で首の左側で弦楽器を構える体勢でも、首の右側で弦楽器を構える体勢でも兼用で使用可能な弦楽器の肩当てであって、今までにない新種の型の弦楽器の肩当てが提供されるので、鏡像楽器を弾く極少数者側の環境がより恵まれたものとなり、企業にとっても、今まで販売対象ではなかった人たちからの収益をも見込めるようになる。
【００２１】
できることなら人体と非接触のときには両側（人体側と弦楽器の裏板側）で適切な表面形状が維持されずに完全に失われてしまう弦楽器の肩当てを使用したくないという人に、人体と非接触のときでも既に肩当ての機能が発揮できる形状をしている普通楽器・鏡像楽器兼用の弦楽器の肩当てを提供することができる。
【００２２】
新種の型である本発明品が弦楽器の裏板の然るべき位置（図２参照）にくっついている状態ならば、明らかに時間を食わせることになる要因がないので、本明細書００１２欄の「袋の中のキノア粒子を揉みながら楽器が肩にしっくり収まるポジションを決めます。」というようなことをしている間に、ぶら下げている弦楽器を構えるべく肩のところへもっていくだけで（エンドピンを首の特定点にあてるようにするだけで）、すぐ構え体勢に入れて右手で持っている弓でいつでも弦をこすって音を鳴らすことができてしまうので、独奏者は観客を前にして観客にとって快適な進行でコンサートを行える。
左手で持っている弓で鏡像楽器の弦をこすって音を鳴らす場合でも全く同様である。
【図面の簡単な説明】
【００２３】
【図１】下段の左側が本発明品の正面図であり、形状確定のため該正面図に対する右側面図及び平面図が添えられている図。
【図２】本発明品使用時における弦楽器の裏板での定位置を、上段では本発明品の特定点（点Ａ１及び点Ａ２）の接合先で、下段では本発明品があてがわれた状態で示す図。
【発明を実施するための形態】
【００２４】
本発明品は、第二の片部材１ｂの面に対し垂直方向に延在する第一の片部材１ａを一体的に有するＬ字状支持部材１の山側に、第一の弾性体２及び第二の弾性体３が、図１に図示されているような具合に第二の片部材１ｂ上に固着されてなる物品である。
ところで、説明の便のため、弾性体２と弾性体３とが固着されているところの第二の片部材１ｂの面の真裏にあたる面をＰ面と呼ぶことにする。
そして、該Ｐ面に直接連続して接続している該Ｐ面と垂直な面のことをＳ面と呼ぶことにする（該Ｓ面は、第二の片部材１ｂの面に対し垂直に立設された第一の片部材1ａに属する。）。
演奏中、前記Ｐ面は人体の胸部で、前記Ｓ面は人体の肩の上部で人体に接触している。
【００２５】
帯状平板材が最終的に本明細書００２４欄に記載のＰ面及びＳ面の双方を備えるような、全体でＬ字型の形状をしていればよいので、もともと分離していた２つの帯状平板材（第一の片部材１ａ及び第二の片部材１ｂ）を接合したものに限らず、１つの帯状平板材を該帯状平板材の最も大きい面積の面を壁に見立てて底壁と呼ぶとき、該底壁と、該底壁の一端片側において垂直方向に曲起こして形成された立壁を備えてなる一枚板から形成されているＬ字状支持部材１であってもよい。構成方法を示す過程で便宜的に底壁と呼んだだけであるので、該構成方法によってＬ字状支持部材１のものの形状が構成（確定）された後は、底壁と仮に呼んだＬ字状支持部材１の部分としての第二の片部材１ｂは、もはや底という概念とは何の関係もない。本明細書００２４欄の最後の文に記載のように、使用状態では前記Ｐ面は人体の胸部で、かつ前記Ｓ面は人体の肩の上部で人体に接触している。
図１は実施例を描いたものであり、Ｌ字状支持部材１は１つの金属製帯状平板が曲げられてできているので、第一の片部材１ａと第二の片部材１ｂからなる場合に接合部で双方が出会うところにある境界線は図１では実線として現れない。
Ｌ字状支持部材１は、しなってもよいが、すぐに元の形状に戻るものでないといけない。もちろん剛体でもよい。しなった状態ではなく、剛体がＬ字状支持部材１の使用時の形状である。
よって、元の形状に戻らなくなるような、柔らか過ぎて簡単に曲がってしまう金属からなるＬ字状支持部材１は駄目である。
本明細書００２６欄の冒頭に記載の事柄を鑑みると、弦楽器の裏板と接触する可能性があるＬ字状支持部材１の角部全てはラウンドされている（数字にＲが付く寸法表示の面取りがされている）とよい。
【００２６】
第一の弾性体２及び第二の弾性体３はＬ字状支持部材１の角部が、弦楽器の裏板に凹み傷を付けないように保護する役割をしている。
それ故、図１全部及び図２の下段の図のように、Ｌ字状支持部材１の、ものの境界を越えてはみ出す格好にする。
第一の弾性体２には、主となる役割も同時にあって、第一の弾性体２の、Ｌ字状支持部材１との接合面の法線方向（以後、Ｐ面の法線方向と言うことにする）への厚みを第二の弾性体３のＰ面の法線方向への厚みとは異なるようにして、構え体勢において弦楽器の裏板と接触しているときに弦楽器の裏板の外形輪郭閉曲線が全部含まれるところの平面がＬ字状支持部材１のＰ面とは平行とはならないよう（別の言い方をすると、駒の一番大きい面積の面がＰ面と直交しないよう）、Ｐ面に対して傾きをつくる、という役割である。
第一の弾性体２は、第二の弾性体３とのＰ面の法線方向への厚みの差で、Ｌ字状支持部材１のＰ面の真裏の面上でＰ面に対して弦楽器の傾きをつくり出さなければならないので、第一の弾性体２のＬ字状支持部材１上でのＰ面の法線方向への厚みは、第二の弾性体３のＬ字状支持部材１上でのＰ面の法線方向への厚みよりは必ず大きくなければならない。
弦楽器の裏板と直接接触する故、第一の弾性体２及び第二の弾性体３の双方とも弦楽器の裏板を傷つけそうな硬い物質を適用しない方がよい。
第二の弾性体３は、凹み傷を付けないことがわかっている厚みの値の範囲内で、できるだけ薄いもので十分である。
なお、第一の弾性体２と第二の弾性体３が一体で形成されていてもよい。
【００２７】
弦楽器の裏板に本発明品があてがわれた状態を示す図２の下段の図のように、本発明品まるごと、すなわち、第一の弾性体２及び第二の弾性体３の、構え体勢時での弦楽器の正しい位置で接触することになる部分を、弦楽器の裏板に接合させてあご当てが弦楽器と一体化しているように弦楽器にくっつけて一体化させてしまってもよい。
図２の上段の図にある点Ｂ１、点Ｂ２に対して、本発明品上の点Ａ１、点Ａ２（図１全部参照）を接合するようにする（図１の上段の図は、図２の下段の図において本発明品を透明にしたものであって、点Ａ１と点Ａ２のところを点Ｂ１と点Ｂ２と書いている図だと思ってもよい。）。
【００２８】
本発明品使用中、あご当てが臼歯近くのあご骨の角部によって押圧されると、前記Ｐ面上の多くの領域は常に人体内部に向かって押圧されることになる。
前記Ｓ面は、演奏中、本発明品が足元（床）へ落下するのを防止して、本発明品及び弦楽器が正しい位置に留まるよう維持させている役割がある。
Ｐ面上の多くの面積で人体内部へ押され続け、Ｓ面の存在のため（第一の片部材１ａの存在のため）上下方向（鉛直方向）の変位は起こらないので、構え体勢では弦楽器は臼歯近くのあご骨の角部での押圧だけで安定している。
該臼歯近くのあご骨の角部による楽器への押圧をゼロにしても、演奏中はそのままの位置に留まり続ける。
図２の下段の図のように本発明品が弦楽器の裏板と一体化した状態で、体から力を抜いた自然体の直立姿勢で、あご当てが既に装着された弦楽器を構えると自然とうまくはまる。
臼歯近くのあご骨の角部で、楽器に固定されているあご当てを押圧すると、人差し指の親指側の側面から、人差し指の付け根と親指の付け根の間の領域の皮膚を経由して、親指の人指し指側の側面に到るまでにわたる、言わば、釣竿受けのような谷間形状（Ｕ字状）になったところで、楽器のネックを支えることをしなくてもいい状態が維持される。
本明細書の当００２８欄は、本明細書００２９欄に記載の滑り止め４の存在を前提にしていない。
【００２９】
本願の添付図のどれにも滑り止め４は描かれていないが、薄膜状の滑り止め４を前記Ｓ面全体と前記Ｑ面全体に設けてもよい。
【００３０】
本発明品の全体としての形状（図１に見出される中心線から、該中心線に関して左右対称とわかる）から、普通楽器に使用した本発明品は、そのまま何の変更も加えずに、首の右側において鏡像楽器の構え体勢をとるときでも使用できることがわかる。
このとき、図２の上段の図の普通楽器における点Ｂ１及び点Ｂ２と、首の左側での本発明品の人体における位置の連関を鑑みるならば、首の右側での本発明品の人体における位置、及び、構えられた楽器の空間中の位置は自明であることから、自ずから鏡像楽器の裏板上の点Ｃ１及び点Ｃ２は導き出される。ここに、点Ｃ１及び点Ｃ２とは、点Ｂ１及び点Ｂ２の鏡像楽器版、つまり、本発明品上の点Ａ１及び点Ａ２の、鏡像楽器の裏板上の接合先のことであり、より明示的には、図２という画像を左右反転操作したときの、「左右反転したＢ１」という画像のところの１点及び「左右反転したＢ２」という画像のところの１点のことである（「左右反転したＢ１」という画像のところの１点が点Ｃ１、「左右反転したＢ２」という画像のところの１点が点Ｃ２である）。
図示無しで理解できる事柄であるので、図２の鏡像楽器版を図３として添付していない。よって、点Ｃ１及び点Ｃ２は本願の添付図には登場しない。
【実施例】
【００３１】
十分機能している実施例（図１）では、Ｌ字状支持部材１には厚さ２ｍｍの角部がラウンドされた（数字にＲが付く寸法表示の面取りがされた）、剛体とみなせる金属製の１枚の平板を適用して曲げてＬ字状にしている。
Ｌ字状支持部材１には、木材、アクリル樹脂、プラスティック他、本明細書００２５欄に記載の性質に該当する物質なら何でも適用できる。
前記Ｌ字状支持部材１の寸法は、図１に示されている。
【００３２】
第一の弾性体２及び第二の弾性体３の最良の物質は、大場機工株式会社の製品名「ゲル  ＯＫ  パッキン」（高分子が複雑に絡み合ったゲル）を適用した場合である（ｈｔｔｐ：／／ｗｗｗ．ｏｈｂａｋｉｋｏ．ｃｏ．ｊｐ／ｐｉｐｅ／ｇｅｌ−ｏｋ．ｈｔｍｌに、伸び率：１３００％以上、反発弾性率：アスカー硬度４度＝２１％；アスカー硬度１５度＝３１％、圧縮ひずみ：アスカー硬度４度＝２０％；アスカー硬度１５度＝１０％の炭化水素系熱可塑性樹脂、と記載がある。）。
第一の弾性体２の形状に関しては、図１のかまぼこ型の他に、図１と同じ高さ、つまり、点Ａ１までのＰ面の法線方向の厚み寸法が図１と同一の、直方体、円錐をＰ面と平行な平面でスパッと切ったときにできる円錐ではない方のプリン型、直方体の土台の上に半球を載せて一体型とした台付ドーム型（頂は点Ａ１の１点）、そしてドーム型等の形状も適用できる。本明細書００３０欄から、本発明品全体を形成している個々のＬ字状支持部材１、第一の弾性体２、そして第二の弾性体３についても図１に見出される中心線に関して左右対称だとわかるので、前記各種形状の第一の弾性体２は左右対称の物体である。
これら前記各種形状の第二の弾性体２の各々の場合について、図１の点Ａ１の位置で、弦楽器の裏板上の、普通楽器なら点Ｂ１に、鏡像楽器なら点Ｃ１（本明細書００３０欄参照）に接合する。
第一の弾性体２の、前記点Ａ１を含む該点Ａ１の周りの楽器の裏板に密着する領域については、本発明品と弦楽器の裏板との吸着をより増すために複数の細かい凸部と凹部が何らかのパターンで繰り返されるような形状にしてもよい。
前記大場機工株式会社の製品名「ゲル  ＯＫ  パッキン」の物質を使用しない場合でも、任意の物質からなる第一の弾性体２について、該第一の弾性体２の表面にさらに株式会社ユタカメイクの製品名「液体ゴム」（アクリル樹脂）を塗って皮膜層をつくれば、前記大場機工株式会社の製品名「ゲル  ＯＫ  パッキン」の物質からなる場合に近似できる（乾燥後）。
【００３３】
本明細書００３２に記載の大場機工株式会社の製品名「ゲル  ＯＫ  パッキン」の物質は、本発明品と人体の間で働く滑り止め４としても適用できる物質であるので、該大場機工株式会社の製品名「ゲル  ＯＫ  パッキン」の物質の薄膜をＰ面全体とＳ面全体に貼ってもよい。
このとき、図１及び図２において第一の弾性体２及び第二の弾性体３がＬ字状支持部材１の、ものの境界からはみ出すように貼られているが、これと同様にはみ出してもよい。
もちろん、前記大場機工株式会社の製品名「ゲル  ＯＫ  パッキン」の物質の代わりに、本明細書００３２に記載の株式会社ユタカメイクの製品名「液体ゴム」（アクリル樹脂）をＰ面及びＱ面の全面に塗っても同等の滑り止め効果が得られる（乾燥後）。
滑り止め４は、有無は任意であるので本願の添付図には描かれていない。
【００３４】
図１によって形状が確定された物品から、図１に見出される中心線に関して該中心線の両側でお互いに鏡像関係になっている関係（本明細書００３０欄及び００３２欄参照）を失わせて派生物品をつくりだすことはいとも簡単であって、いくらでもつくり出すことができるが、依然として本願の技術思想範囲内に属するものを生産しているにすぎないつまらない行為である。
【産業上の利用可能性】
【００３５】
本願発明は、楽器業界において活用できるものである。
【符号の説明】
【００３６】
１      Ｌ字状支持部材
１ａ    第一の片部材
１ｂ    第二の片部材
２      第一の弾性体
３      第二の弾性体
４      滑り止め（有無は任意）
【要約】
【課題】一の物品で首の左側で弦楽器を構える体勢でも、首の右側で弦楽器を構える体勢でも兼用で使用可能な弦楽器の肩当てであって、今までにない新種の型の弦楽器の肩当てを提供することで鏡像楽器着を弾く極少数者側の環境をより恵まれたものにするとともに、企業にとっても、今まで販売対象ではなかった人々からの収益をも見込めるようにすること。
【解決手段】帯状平板材で構成される第一の片部材の一方端と前記第一の片部材より長い帯状平板材で構成される第二の片部材の一方端とを固着してなるＬ字状支持部材の前記第二の片部材の山側の反自由端側に第一の弾性体が設けられ、自由端側に第二の弾性体が設けられてなる弦楽器の肩当てであって、第一の弾性体の厚みは第二の弾性体の厚みより厚く、前記第一の弾性体は前記第二の片部材の反自由端側に突出した状態で設けられているとともに前記第二の片部材の幅方向に突出した状態で設けられていて、前記第二の弾性体は前記第二の片部材の自由端側に突出した状態で設けられているとともに前記第二の片部材の幅方向に突出した状態で設けられていることを特徴とする弦楽器の肩当て。
【選択図】図１【図１】
0005579949.tif 000002
【図２】
0005579949.tif 000003